(57)【要約】【課題】  樹脂と骨材と硬化剤とを個別に用意する必要がなく、これらの素材を混合する際に各素材の分量を一々計量する必要がなく、しかも、混合容器を使用する必要がなく、さらに、塗布用刷毛も不要となる接着剤用容器を提供する。【解決手段】  仕切り４によって一方の室３Ａと他方の室３Ｂとに仕切られた密閉袋３からなり、一方の室３Ａと他方の室３Ｂとは、仕切り４を破ることによって連通し、一方の室３Ａ内には樹脂が収容され、他方の室３Ｂ内には骨材と硬化剤との混合物が収容される。【選択図】  図１
2006076650.tif 000002
【特許請求の範囲】
【請求項１】
仕切りによって一方の室と他方の室とに仕切られた密閉袋からなり、前記一方の室と前記他方の室とは、前記仕切りを破ることによって連通し、前記一方の室内には樹脂が収容され、前記他方の室内には骨材と硬化剤との混合物が収容されることを特徴とする接着剤用容器。
【請求項２】
前記一方の室および前記他方の室の何れか一方には、突起が形成され、前記突起を破ることによって、前記突起から前記密閉袋内の接着剤を押し出し、塗布することができることを特徴とする、請求項１記載の接着剤用容器。
【請求項３】
前記密閉袋には、前記密閉袋を開いて前記仕切りを破るための引張り用突片が形成されていることを特徴とする、請求項１または２記載の接着剤用容器。
【請求項４】
前記樹脂は、不飽和ポリエステルからなり、前記骨材は、炭酸カルシウムおよび人工珪砂の内の少なくとも１つからなり、前記硬化剤は、ベンゾエルパーオキサイドからなることを特徴とする、請求項１から３の何れか１つに記載の接着剤用容器。
【発明の詳細な説明】
【技術分野】  この発明は、接着剤用容器、特に、施工現場において樹脂と骨材と硬化剤とを混合して接着剤を調製し、このようにして調製した接着剤を接着箇所に刷毛など道具を使用せずに的確に塗布することができる接着剤用容器に関するものである。
【背景技術】  例えば、図４に示すように、鉄蓋用受枠２は、下枡１の上にボルト止めされる。下枡１は、コンクリートあるいはレジンコンクリートからなり、所定の高さを維持するために複数段積み重ねて使用される（この例では３段）。
従来、下枡１同士は、モルタルあるいは不飽和ポリエステル樹脂などを主材料とする樹脂系接着剤によって互いに接着される。特に、レジンコンクリート製枡の場合には、樹脂系接着剤によって接着される。
樹脂系接着剤を使用する場合には、主材料となる不飽和ポリエステルなどの樹脂と、骨材と、樹脂を硬化させる硬化剤とを個別に用意し、使用時にこれらを混合して、接着箇所に刷毛などの道具を使用して塗布していた。
【発明の開示】
【発明が解決しようとする課題】  しかしながら、上述した樹脂系接着剤の塗布方法には、以下のような問題があった。
（１）樹脂系接着剤と骨材と硬化剤とを個別に用意する必要があった。
（２）使用時にこれらの材料の分量をある程度正確に計量した上で混合する必要があった。
（３）混合するための容器が別に必要であった。
（４）塗布に際して刷毛などの道具が必要であった。
従って、この発明の目的は、樹脂と骨材と硬化剤とを個別に用意する必要がなく、これらの素材を混合する際に各素材の分量を一々計量する必要がなく、しかも、混合容器を使用する必要がなく、さらに、塗布用刷毛も不要となる接着剤用容器を提供することにある。
【課題を解決するための手段】  本願発明者は、上記目的を達成するために、鋭意検討を重ねた結果、以下のような知見を得た。
予め計量した適量の樹脂系接着剤と骨材と硬化剤とを、樹脂系接着剤と骨材および硬化剤との混合物とが混ざらないように仕切りを介して分離して密閉袋内にパック詰めし、使用時に、仕切りを破ってこれらを密閉袋内において混合すれば、密閉袋内において接着剤が調製でき、使用時に密閉袋の一部を破って密閉袋内から接着面に接着剤を押し出せば、樹脂系接着剤と骨材と硬化剤とを個別に用意する必要がなく、これらの素材を混合する際に各素材の分量を一々計量する必要がなく、しかも、混合容器を別途用意する必要がなく、さらに、塗布用刷毛も不要となるといった知見を得た。
この発明は、上記知見に基づきなされたものであって、下記を特徴とするものである。
請求項１記載の発明は、仕切りによって一方の室と他方の室とに仕切られた密閉袋からなり、前記一方の室と前記他方の室とは、前記仕切りを破ることによって連通し、前記一方の室内には樹脂が収容され、前記他方の室内には骨材と硬化剤との混合物が収容されることに特徴を有するものである。
請求項２記載の発明は、請求項１記載の発明において、一方の室および他方の室の何れか一方には、突起が形成され、前記突起を破ることによって、前記突起から前記密閉袋内の接着剤を押し出すことができることに特徴を有するものである。
請求項３記載の発明は、請求項１または２記載の発明において、密閉袋には、密閉袋を開いて仕切りを破るための引張り用突片が形成されていることに特徴を有するものである。
請求項４記載の発明は、請求項１から３の何れか１つに記載の発明において、樹脂は、不飽和ポリエステルからなり、骨材は、炭酸カルシウムおよび人工珪砂の内の少なくとも１つからなり、硬化剤は、ベンゾエルパーオキサイドからなることに特徴を有するものである。
【発明の効果】  この発明によれば、以下のような効果がもたらされる
（１）それぞれ適量の樹脂と骨材および硬化剤の混合物とが予めパック詰めされているので、これらを個別に用意する必要がなく、しかも、これら材料の分量を一々計量する必要がない。
（２）密閉袋内において樹脂と骨材と硬化剤とを混合するので、混合容器を別途用意する必要がない。
（３）密閉袋の一部を破れば、密閉袋内から接着面に接着剤を押し出して塗布することができるので、塗布用刷毛が不要となる。
【発明を実施するための最良の形態】  この発明の接着剤用容器の一実施態様を、図面を参照しながら説明する。
図１は、この発明の接着剤用容器を示す平面図、図２は、引張り用突片が形成された部分の密閉袋を示す断面図、図３は、別の引張り用突片が形成された部分の密閉袋を示す断面図である。
図１から図３において、３は、樹脂製の密閉袋であり、透明であっても不透明であっても良い。４は、密閉袋３を２つに分離する仕切りであり、密閉袋３の長手方向中央部を幅方向に亘って線状に融着させることにより形成されている。仕切り４は、この部分の密閉袋３の表裏を互いに引き離すことにより破れるようになっている。３Ａは、仕切り４により仕切られた一方の室、３Ｂは、他方の室であり、一方の室３Ａには、例えば、不飽和ポリエステルなどの液状樹脂が収容され、他方の室３Ｂには、骨材と硬化剤との混合物が収容される。骨材は、例えば、炭酸カルシウムおよび人工珪砂の内の少なくとも１つからなり、硬化剤は、例えば、ベンゾエルパーオキサイド（ＢＰＯ）からなる。一方の室３Ａと他方の室３Ｂとが入れ替わっても良い。
他方の室３Ｂのコーナー部には、突起３Ｃが形成されている。突起３Ｃを切断することによって、密閉袋３内の接着剤が押し出せるようになっている。突起３Ｃに予め切り込みを形成しておけば、鋏などを使用せずに突起３Ｃを切断することができる。突起３Ｃの形成場所は、他方の室３Ｂでなくても良く、コーナー部でなくても良い。なお、突起３Ｃを形成しないでも、密閉袋３のコーナー部を直接切断しても良い。５は、仕切り４が形成された部分の密閉袋３の表裏長手方向に形成された一対の引張り用突片である。引張り用突片５は、図３に示すように、仕切り４を挟んで密閉袋３の表裏幅方向に形成しても良い。
このように構成されている、この発明の接着剤用容器によれば、以下のようにして、接着剤が所定の接着面に塗布される。
一方の室３Ａ内に樹脂が収容され、他方の室３Ｂ内に骨材と硬化剤との混合物が収容されるようにして密閉袋３を製造する。施工現場において使用する際には、引張り用突片５を両手で引っ張って仕切り４を破く。これによって、一方の室３Ａと他方の室３Ｂとが連通して、樹脂と骨材および硬化剤の混合物とが混ざる。完全に混ざるように、密閉袋３をさらに手で揉むと良い。このようにして、接着剤が調製される。そして、密閉袋３の突起３Ｃを切断すれば、突起３Ｃがノズルの作用をするので、下枡などの接着面に確実に接着剤を押し出し、塗布することができる。
以上説明したように、この発明によれば、それぞれ適量の樹脂と骨材および硬化剤の混合物とが予めパック詰めされているので、これらを個別に用意する必要がなく、しかも、これら材料の分量を一々計量する必要がない。また、密閉袋内において樹脂と骨材と硬化剤とを混合するので、混合容器を別途用意する必要がない。さらに、密閉袋の一部を破れば、密閉袋内から接着面に接着剤を押し出して塗布することができるので、塗布用刷毛が不要となる。さらに、下枡を接着する場合には、一回の使用量が大体分かっているので、１つの密閉袋の接着剤を一回分とすることによって、無駄がなくなる。
【図面の簡単な説明】
【図１】  この発明の接着剤用容器を示す平面図である。
【図２】  引張り用突片が形成された部分の密閉袋を示す断面図である。
【図３】  別の引張り用突片が形成された部分の密閉袋を示す断面図である。
【図４】  下枡に固定される鉄蓋用受枠を示す概略斜視図である。
【符号の説明】
１：下枡
２：受枠
３：密閉袋
３Ａ：一方の室
３Ｂ：他方の室
４：仕切り
５：引張り用突片
【図１】
2006076650.tif 000003
【図２】
2006076650.tif 000004
【図３】
2006076650.tif 000005
【図４】
2006076650.tif 000006